(57)【要約】【課題】動作モード毎にオープニング画面を変えることのできる電子機器及びオープニング画面表示方法を得る。【解決手段】各々予め定められた複数の動作モードの何れかに対応付けられた複数のデジタル画像データをメモリカード５２に予め記憶しておき、電源が投入されたときに、ＣＰＵ４０は、予め設定された動作モードに対応付けられたデジタル画像データをメモリカード５２から読み出し、当該デジタル画像データにより示される画像をオープニング画面として液晶ディスプレイ３８に表示する。【選択図】        図２
2005072680.tif 000002
【特許請求の範囲】
【請求項１】
電源が投入されたときにオープニング画面を表示する表示手段と、
各々予め定められた複数の動作モードの何れかに対応付けられた複数の画像情報を予め記憶した記憶手段と、
実行する動作モードを設定する設定手段と、
前記設定手段により設定された動作モードに対応付けられた前記画像情報を前記記憶手段から読み出し、当該画像情報により示される画像を前記オープニング画面として表示するように前記表示手段を制御する制御手段と、
を備えた電子機器。
【請求項２】
予め定められた指示を入力するために操作される操作手段を更に備え、
前記制御手段は、前記操作手段が操作されたときに前記オープニング画面の表示を停止するように前記表示手段を制御する
請求項１記載の電子機器。
【請求項３】
電源が投入されたときに予め定められたオープニング画面を表示する表示手段と、
予め定められた指示を入力するために操作される操作手段と、
前記オープニング画面を所定期間だけ表示するように前記表示手段を制御すると共に、前記所定期間に至るまでの間に前記操作手段が操作された場合に前記オープニング画面の表示期間を延長するように制御する制御手段と、
を備えた電子機器。
【請求項４】
前記操作手段を、設定されている動作モードで用いられるスイッチとした
請求項２又は請求項３記載の電子機器。
【請求項５】
電子機器におけるオープニング画面表示方法であって、
各々予め定められた複数の動作モードの何れかに対応付けられた複数の画像情報を記憶手段に予め記憶しておき、
前記電子機器に電源が投入されたときに、予め設定された動作モードに対応付けられた前記画像情報を前記記憶手段から読み出し、当該画像情報により示される画像をオープニング画面として表示する
オープニング画面表示方法。
【請求項６】
電子機器におけるオープニング画面表示方法であって、
前記電子機器に電源が投入されたときに予め定められたオープニング画面を所定期間だけ表示すると共に、前記所定期間に至るまでの間に予め定められた指示を入力するために操作される操作手段が操作された場合に前記オープニング画面の表示期間を延長する
オープニング画面表示方法。
【発明の詳細な説明】
【０００１】
【発明の属する技術分野】
本発明は、電子機器及びオープニング画面表示方法に係り、特に、電源が投入されたときにオープニング画面を表示する機能を有する電子機器及び当該オープニング画面を表示するオープニング画面表示方法に関する。
【０００２】
【従来の技術】
液晶ディスプレイ、ＣＲＴディスプレイ等の表示装置を備えた従来の電子機器では、電源投入による起動時において各種メニュー画面等を表示するものが多かったが、近年の電子機器には、オープニング画面として製造会社のロゴや当該電子機器の名称等を所定期間表示して、製品イメージを高めることが行われている。また、最近では、ユーザによって設定された任意の画像をオープニング画面として表示することのできる電子機器も多数製品化されている。
【０００３】
ところで、この種の電子機器では、オープニング画面が表示されているために当該電子機器の有する機能を即座に利用できない場合があった。
【０００４】
そこで、この問題を解決するための技術として、電源遮断から電源再投入までの時間を測定し、測定時間が設定時間より長い場合にのみオープニング画面を表示させる技術があった（例えば、特許文献１参照。）。
【０００５】
この技術によれば、例えば、作動中に短時間の停電（瞬停）が発生して再び通電された場合等の電源を短時間で再投入した場合における、改めてオープニング画面が表示される事態を回避することができ、電子機器の有する機能を即座に利用することができる。
【０００６】
【特許文献１】
特許第３１０６６０１号公報
【０００７】
【発明が解決しようとする課題】
ところで、近年の電子機器は多機能化が進んでおり、複数の動作モードが選択的に実行されるものが多く存在する。そして、このような電子機器では、実行される動作モード毎にオープニング画面を異なるものとしたい、という要望が高まっている。これは、オープニング画面を参照することによって、実行される動作モードが即座に把握できる、オープニング画面として複数種類の画像を表示することができる、といった理由からである。
【０００８】
しかしながら、上記特許文献１の技術では、電源を短時間で再投入した場合の不必要なオープニング画面の表示を回避することはできるものの、オープニング画面の表示画像を複数種類とする点については考慮されておらず、動作モード毎にオープニング画面を変えることができない、という問題点があった。
【０００９】
一方、ユーザによっては、電子機器を電源投入後に即座には使用せず、使用を開始するまではオープニング画面を表示させておきたい、という要望もある。この要望は、オープニング画面として任意の画像を表示することができる場合に特に強い。
【００１０】
しかしながら、上記特許文献１の技術では、オープニング画面の表示期間の延長については考慮されておらず、所定時間が経過した後にはオープニング画面が消去されてしまう、という問題点があった。
【００１１】
本発明は上記問題点を解消するためになされたものであり、動作モード毎にオープニング画面を変えることのできる電子機器及びオープニング画面表示方法を提供することを第１の目的とし、オープニング画面の表示期間を容易に延長することのできる電子機器及びオープニング画面表示方法を提供することを第２の目的とする。
【００１２】
【課題を解決するための手段】
上記第１の目的を達成するために、請求項１記載の電子機器は、電源が投入されたときにオープニング画面を表示する表示手段と、各々予め定められた複数の動作モードの何れかに対応付けられた複数の画像情報を予め記憶した記憶手段と、実行する動作モードを設定する設定手段と、前記設定手段により設定された動作モードに対応付けられた前記画像情報を前記記憶手段から読み出し、当該画像情報により示される画像を前記オープニング画面として表示するように前記表示手段を制御する制御手段と、を備えている。
【００１３】
請求項１に記載の電子機器によれば、電源が投入されたときに表示手段によってオープニング画面が表示される。なお、上記表示手段には、液晶ディスプレイ、ＣＲＴディスプレイ、プラズマディスプレイ、有機ＥＬディスプレイ等の各種ディスプレイが含まれる。
【００１４】
また、本発明では、各々予め定められた複数の動作モードの何れかに対応付けられた複数の画像情報が記憶手段によって予め記憶される。なお、上記記憶手段には、ＲＡＭ（Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、フラッシュＥＥＰＲＯＭ（Ｆｌａｓｈ  ＥＥＰＲＯＭ）等の記憶素子、スマート・メディア（ＳｍａｒｔＭｅｄｉａ（Ｒ））、コンパクト・フラッシュ（ＣｏｍｐａｃｔＦｌａｓｈ）、ＡＴＡ（ＡＴ  Ａｔｔａｃｈｍｅｎｔ）カード、マイクロドライブ、フロッピィディスク、ＣＤ−Ｒ（Ｃｏｍｐａｃｔ  Ｄｉｓｃ−Ｒｅｃｏｒｄａｂｌｅ）、ＣＤ−ＲＷ（Ｃｏｍｐａｃｔ  Ｄｉｓｃ−ＲｅＷｒｉｔａｂｌｅ）、光磁気ディスク等の可搬型記録媒体やハードディスク等の固定記録媒体、或いはネットワークに接続されたサーバ・コンピュータ等に設けられた外部記憶装置等が含まれる。
【００１５】
ここで、本発明では、実行する動作モードが設定手段により設定され、制御手段により、上記設定された動作モードに対応付けられた画像情報が記憶手段から読み出され、当該画像情報により示される画像が上記オープニング画面として表示されるように表示手段が制御される。
【００１６】
このように、請求項１に記載の電子機器によれば、各々予め定められた複数の動作モードの何れかに対応付けられた複数の画像情報を記憶手段に予め記憶しておき、電源が投入されたときに、予め設定された動作モードに対応付けられた前記画像情報を前記記憶手段から読み出し、当該画像情報により示される画像をオープニング画面として表示しているので、動作モード毎にオープニング画面を変えることができる。
【００１７】
なお、本発明は、請求項２に記載の発明のように、予め定められた指示を入力するために操作される操作手段を更に備え、前記制御手段は、前記操作手段が操作されたときに前記オープニング画面の表示を停止するように前記表示手段を制御することが好ましい。これによって、オープニング画面の表示を容易に停止することができ、電子機器が有する機能を即座に利用することができる。
【００１８】
一方、上記第２の目的を達成するために、請求項３記載の電子機器は、電源が投入されたときに予め定められたオープニング画面を表示する表示手段と、予め定められた指示を入力するために操作される操作手段と、前記オープニング画面を所定期間だけ表示するように前記表示手段を制御すると共に、前記所定期間に至るまでの間に前記操作手段が操作された場合に前記オープニング画面の表示期間を延長するように制御する制御手段と、を備えている。
【００１９】
請求項３に記載の電子機器によれば、電源が投入されたときに予め定められたオープニング画面が表示手段によって表示される。なお、上記表示手段には、液晶ディスプレイ、ＣＲＴディスプレイ、プラズマディスプレイ、有機ＥＬディスプレイ等の各種ディスプレイが含まれる。
【００２０】
ここで、本発明では、制御手段により、オープニング画面が所定期間だけ表示されるように表示手段が制御されると共に、前記所定期間に至るまでの間に、予め定められた指示を入力するために操作される操作手段が操作された場合に前記オープニング画面の表示期間が延長されるように制御される。
【００２１】
このように、請求項３に記載の電子機器によれば、電源が投入されたときに予め定められたオープニング画面を所定期間だけ表示すると共に、前記所定期間に至るまでの間に予め定められた指示を入力するために操作される操作手段が操作された場合に前記オープニング画面の表示期間を延長しているので、オープニング画面の表示期間を容易に延長することができる。
【００２２】
なお、請求項２又は請求項３の何れか１項記載の発明における操作手段は、請求項４に記載の発明のように、設定されている動作モードで用いられるスイッチとすることが好ましい。これによって、設定されている動作モードでの操作に即座に移行することができ、利便性を向上させることができる。
【００２３】
一方、上記第１の目的を達成するために、請求項５記載のオープニング画面表示方法は、電子機器におけるオープニング画面表示方法であって、各々予め定められた複数の動作モードの何れかに対応付けられた複数の画像情報を記憶手段に予め記憶しておき、前記電子機器に電源が投入されたときに、予め設定された動作モードに対応付けられた前記画像情報を前記記憶手段から読み出し、当該画像情報により示される画像をオープニング画面として表示するものである。
【００２４】
従って、請求項５に記載のオープニング画面表示方法によれば、請求項１に記載の発明と同様に作用するので、請求項１記載の発明と同様に、動作モード毎にオープニング画面を変えることができる。
【００２５】
また、上記第２の目的を達成するために、請求項６記載のオープニング画面表示方法は、電子機器におけるオープニング画面表示方法であって、前記電子機器に電源が投入されたときに予め定められたオープニング画面を所定期間だけ表示すると共に、前記所定期間に至るまでの間に予め定められた指示を入力するために操作される操作手段が操作された場合に前記オープニング画面の表示期間を延長するものである。
【００２６】
従って、請求項６に記載のオープニング画面表示方法によれば、請求項３に記載の発明と同様に作用するので、請求項３記載の発明と同様に、オープニング画面の表示期間を容易に延長することができる。
【００２７】
【発明の実施の形態】
以下、図面を参照して、本発明の実施の形態について詳細に説明する。なお、ここでは、本発明を静止画像及び動画像の双方の撮影を行う機能を有するデジタルカメラに適用した場合について説明する。
【００２８】
〔第１実施形態〕
まず、図１を参照して、本実施の形態に係るデジタルカメラ１０の外観上の構成を説明する。
【００２９】
デジタルカメラ１０の正面には、被写体像を結像させるためのレンズ２１と、撮影時に必要に応じて被写体に照射する光を発するストロボ４４と、撮影する被写体の構図を決定するために用いられるファインダ２０と、が備えられている。また、デジタルカメラ１０の上面には、撮影を実行する際に押圧操作されるレリーズスイッチ（所謂シャッター）５６Ａと、電源スイッチ５６Ｂと、モード切替スイッチ５６Ｃと、が備えられている。
【００３０】
なお、本実施の形態に係るデジタルカメラ１０のレリーズスイッチ５６Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００３１】
そして、デジタルカメラ１０では、レリーズスイッチ５６Ａを半押し状態にすることによりＡＥ（Ａｕｔｏｍａｔｉｃ  Ｅｘｐｏｓｕｒｅ、自動露出）機能が働いて露出状態（シャッタースピード、絞りの状態）が設定された後、ＡＦ（Ａｕｔｏ  Ｆｏｃｕｓ、自動合焦）機能が働いて合焦制御され、その後、引き続き全押し状態にすると露光（撮影）が行われる。
【００３２】
また、モード切替スイッチ５６Ｃは、静止画像の撮影を行うモードである静止画撮影モード、動画像の撮影を行うモードである動画撮影モード、及び被写体像を後述するＬＣＤ３８に再生するモードである再生モードの何れかのモードに設定する際に回転操作される。
【００３３】
一方、デジタルカメラ１０の背面には、前述のファインダ２０の接眼部と、撮影された被写体像やメニュー画面等を表示するための液晶ディスプレイ（以下、「ＬＣＤ」という。）３８と、十字カーソルスイッチ５６Ｄと、が備えられている。なお、十字カーソルスイッチ５６Ｄは、ＬＣＤ３８の表示領域における上・下・左・右の４方向の移動方向を示す４つの矢印キー及び当該４つの矢印キーの中央部に位置された決定キーの合計５つのキーを含んで構成されている。
【００３４】
更に、デジタルカメラ１０の背面には、ＬＣＤ３８にメニュー画面を表示させるときに押圧操作されるメニュースイッチと、それまでの操作内容を確定するときに押圧操作される決定スイッチと、直前の操作内容をキャンセルするときに押圧操作されるキャンセルスイッチと、ストロボ４４の発光状態を設定するときに押圧操作されるストロボスイッチと、マクロ撮影を行うときに押圧操作されるマクロ撮影スイッチと、が備えられている。
【００３５】
次に、図２を参照して、本実施の形態に係るデジタルカメラ１０の電気系の構成を説明する。
【００３６】
デジタルカメラ１０は、前述のレンズ２１を含んで構成された光学ユニット２２と、レンズ２１の光軸後方に配設された電荷結合素子（以下、「ＣＣＤ」という。）２４と、入力されたアナログ信号に対して各種のアナログ信号処理を行うアナログ信号処理部２６と、を含んで構成されている。
【００３７】
また、デジタルカメラ１０は、入力されたアナログ信号をデジタルデータに変換するアナログ／デジタル変換器（以下、「ＡＤＣ」という。）２８と、入力されたデジタルデータに対して各種のデジタル信号処理を行うデジタル信号処理部３０と、を含んで構成されている。
【００３８】
なお、デジタル信号処理部３０は、所定容量のラインバッファを内蔵し、入力されたデジタルデータを後述するメモリ４８の所定領域に直接記憶させる制御も行う。
【００３９】
ＣＣＤ２４の出力端はアナログ信号処理部２６の入力端に、アナログ信号処理部２６の出力端はＡＤＣ２８の入力端に、ＡＤＣ２８の出力端はデジタル信号処理部３０の入力端に、各々接続されている。従って、ＣＣＤ２４から出力された被写体像を示すアナログ信号はアナログ信号処理部２６によって所定のアナログ信号処理が施され、ＡＤＣ２８によってデジタル画像データに変換された後にデジタル信号処理部３０に入力される。
【００４０】
一方、デジタルカメラ１０は、被写体像やメニュー画面等をＬＣＤ３８に表示させるための信号を生成してＬＣＤ３８に供給するＬＣＤインタフェース３６と、デジタルカメラ１０全体の動作を司るＣＰＵ（中央処理装置）４０と、撮影により得られたデジタル画像データ等を記憶するメモリ４８と、メモリ４８に対するアクセスの制御を行うメモリインタフェース４６と、を含んで構成されている。
【００４１】
更に、デジタルカメラ１０は、可搬型のメモリカード５２をデジタルカメラ１０でアクセス可能とするための外部メモリインタフェース５０と、デジタル画像データに対する圧縮処理及び伸張処理を行う圧縮・伸張処理回路５４と、を含んで構成されている。
【００４２】
なお、本実施の形態のデジタルカメラ１０では、メモリ４８としてＶＲＡＭ（Ｖｉｄｅｏ  ＲＡＭ）が用いられ、メモリカード５２としてスマートメディア（Ｓｍａｒｔ  Ｍｅｄｉａ（Ｒ））が用いられている。
【００４３】
デジタル信号処理部３０、ＬＣＤインタフェース３６、ＣＰＵ４０、メモリインタフェース４６、外部メモリインタフェース５０、及び圧縮・伸張処理回路５４はシステムバスＢＵＳを介して相互に接続されている。従って、ＣＰＵ４０は、デジタル信号処理部３０及び圧縮・伸張処理回路５４の作動の制御、ＬＣＤ３８に対するＬＣＤインタフェース３６を介した各種情報の表示、メモリ４８及びメモリカード５２へのメモリインタフェース４６及び外部メモリインタフェース５０を介したアクセスを各々行うことができる。
【００４４】
なお、ＣＰＵ４０にはタイマ４０Ａが内蔵されており、ＣＰＵ４０は、タイマ４０Ａを用いて任意に計時することができる。
【００４５】
一方、デジタルカメラ１０には、主としてＣＣＤ２４を駆動させるためのタイミング信号を生成してＣＣＤ２４に供給するタイミングジェネレータ３２が備えられており、ＣＣＤ２４の駆動はＣＰＵ４０によりタイミングジェネレータ３２を介して制御される。
【００４６】
更に、デジタルカメラ１０にはモータ駆動部３４が備えられており、光学ユニット２２に備えられた図示しない焦点調整モータ、ズームモータ及び絞り駆動モータの駆動もＣＰＵ４０によりモータ駆動部３４を介して制御される。
【００４７】
すなわち、本実施の形態に係るレンズ２１は複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、これらのモータは各々ＣＰＵ４０の制御によりモータ駆動部３４から供給された駆動信号によって駆動される。
【００４８】
更に、前述のレリーズスイッチ５６Ａ、電源スイッチ５６Ｂ、モード切替スイッチ５６Ｃ、十字カーソルスイッチ５６Ｄ、メニュースイッチ等の各種スイッチ（同図では、「操作部５６」と総称。）はＣＰＵ４０に接続されており、ＣＰＵ４０は、これらの操作部５６に対する操作状態を常時把握できる。
【００４９】
また、デジタルカメラ１０には、ストロボ４４とＣＰＵ４０との間に介在されると共に、ＣＰＵ４０の制御によりストロボ４４を発光させるための電力を充電する充電部４２が備えられている。更に、ストロボ４４はＣＰＵ４０にも接続されており、ストロボ４４の発光はＣＰＵ４０によって制御される。
【００５０】
ところで、本実施の形態に係るデジタルカメラ１０では、メニュースイッチを押圧操作することによってＬＣＤ３８に表示されるメニュー画面上で各種パラメータの設定を行うことができる。具体的には、図３に模式的に示すように、一般的な設定項目として、セルフタイマー撮影に関する設定、自動的に電源をオフさせる時間の設定、撮影によって取得するデジタル画像データの画素数の設定、オープニング画面を表示させる期間の設定等を行うことができる。なお、これらの一般的な設定項目以外の項目としては、ホワイトバランスに関する設定、ＩＳＯ感度に関する設定等が挙げられる。
【００５１】
そして、オープニング画面を表示させる期間を設定する際には、一例として図４に示すような設定画面がＬＣＤ３８に表示され、当該画面上で十字カーソルスイッチ５６Ｄの操作により、当該期間を設定することができる。なお、ここで設定された期間が０（零）である場合は、オープニング画面を表示しないことを示す。
【００５２】
また、本実施の形態に係るデジタルカメラ１０では、電源スイッチ５６Ｂがオンされて電源が投入されたときにオープニング画面として表示する画像を、撮影によって得られ、かつメモリカード５２に記録されたデジタル画像データにより示される画像から各種動作モードの種類（ここでは、「静止画撮影モード」、「動画撮影モード」、「再生モード」、「その他の動作モード」）毎に設定することができる。
【００５３】
なお、この際の設定もメニュースイッチを押圧操作することにより表示されるメニュー画面上で行うことができる。そして、当該設定の結果として、メモリカード５２の所定領域に、オープニング画面として選択された画像を示すデジタル画像データと、当該データによるオープニング画面を表示する動作モードを示す動作モード情報と、を対応付ける対応付け情報が記憶される。
【００５４】
次に、本実施の形態に係るデジタルカメラ１０の撮影時における全体的な動作について簡単に説明する。
【００５５】
まず、ＣＣＤ２４は、光学ユニット２２を介した撮像を行い、被写体像を示すＲ（赤）、Ｇ（緑）、Ｂ（青）毎のアナログ信号をアナログ信号処理部２６に順次出力する。アナログ信号処理部２６は、ＣＣＤ２４から入力されたアナログ信号に対して相関二重サンプリング処理等のアナログ信号処理を施した後にＡＤＣ２８に順次出力する。
【００５６】
ＡＤＣ２８は、アナログ信号処理部２６から入力されたＲ、Ｇ、Ｂ毎のアナログ信号を各々１２ビットのＲ、Ｇ、Ｂの信号（デジタル画像データ）に変換してデジタル信号処理部３０に順次出力する。デジタル信号処理部３０は、内蔵しているラインバッファにＡＤＣ２８から順次入力されるデジタル画像データを蓄積して一旦メモリ４８の所定領域に直接格納する。
【００５７】
メモリ４８の所定領域に格納されたデジタル画像データは、ＣＰＵ４０による制御に応じてデジタル信号処理部３０により読み出され、所定の物理量に応じたデジタルゲインをかけることでホワイトバランス調整を行なうと共に、ガンマ処理及びシャープネス処理を行なって８ビットのデジタル画像データを生成する。
【００５８】
そして、デジタル信号処理部３０は、生成した８ビットのデジタル画像データに対しＹＣ信号処理を施して輝度信号Ｙとクロマ信号Ｃｒ、Ｃｂ（以下、「ＹＣ信号」という。）を生成し、ＹＣ信号をメモリ４８の上記所定領域とは異なる領域に格納する。
【００５９】
なお、ＬＣＤ３８は、ＣＣＤ２４による連続的な撮像によって得られた動画像（スルー画像）を表示してファインダとして使用することができるものとして構成されており、ＬＣＤ３８をファインダとして使用する場合には、生成したＹＣ信号を、ＬＣＤインタフェース３６を介して順次ＬＣＤ３８に出力する。これによってＬＣＤ３８にスルー画像が表示されることになる。
【００６０】
ここで、静止画撮影モードが設定されている場合、レリーズスイッチ５６Ａがユーザによって半押し状態とされたタイミングで前述のようにＡＥ機能が働いて露出状態が設定された後、ＡＦ機能が働いて合焦制御され、その後、引き続き全押し状態とされたタイミングで、その時点でメモリ４８に格納されているＹＣ信号を、圧縮・伸張処理回路５４によって所定の圧縮形式（本実施の形態では、ＪＰＥＧ形式）で圧縮した後に外部メモリインタフェース５０を介してメモリカード５２に記録する。
【００６１】
一方、動画撮影モードが設定されている場合には、レリーズスイッチ５６Ａが全押し状態とされたタイミングで、その時点からメモリ４８に格納されるＹＣ信号を、所定期間毎に時系列で圧縮・伸張処理回路５４により所定の圧縮形式（本実施の形態では、Ｍｏｔｉｏｎ  ＪＰＥＧ形式）で圧縮した後に外部メモリインタフェース５０を介してメモリカード５２に順次記録していき、再度レリーズスイッチ５６Ａが全押し状態とされたタイミングで、当該記録動作を終了する。
【００６２】
以上がデジタルカメラ１０の撮影時における全体的な動作の流れであるが、本実施の形態に係るデジタルカメラ１０では、電源スイッチ５６Ｂが投入されたときに電源オン処理が実行される。
【００６３】
以下、図５を参照して、本実施の形態に係る電源オン処理について説明する。なお、図５は、当該電源オン処理の実行時にＣＰＵ４０により実行される電源オン処理プログラムの処理の流れを示すフローチャートである。また、ここでは、オープニング画面を表示させる期間、及びオープニング画面として表示する画像と動作モードとの対応関係が予め設定されている場合について説明する。
【００６４】
同図のステップ１００では、オープニング画面の表示が指示されているか否かを判定し、否定判定となった場合はステップ１２２に移行し、肯定判定となった場合にはステップ１０２に移行する。なお、上記オープニング画面の表示が指示されているか否かの判定は、予め設定されているオープニング画面を表示させる期間が０（零）とされていないか否かを判定することにより行う。
【００６５】
ステップ１０２では、タイマ４０Ａをリセットした後に該タイマ４０Ａによる計時を開始し、次のステップ１０４では、モード切替スイッチ５６Ｃにより静止画撮影モードが設定されているか否かを判定し、肯定判定となった場合はステップ１０６に移行する。
【００６６】
ステップ１０６では、メモリカード５２に記憶されている上記対応付け情報によって「静止画撮影モード」に対応付けられているデジタル画像データをメモリカード５２から読み出し、該デジタル画像データにより示される画像をＬＣＤ３８に表示させる静止画撮影モード用オープニング画面表示処理を実行し、その後にステップ１１８に移行する。本ステップ１０６の処理により、ＬＣＤ３８には、一例として図６（Ａ）に示すように、静止画撮影モードに対応する画像のオープニング画面としての表示が開始される。
【００６７】
一方、上記ステップ１０４において否定判定となった場合にはステップ１０８に移行し、モード切替スイッチ５６Ｃにより動画撮影モードが設定されているか否かを判定して、肯定判定となった場合はステップ１１０に移行する。
【００６８】
ステップ１１０では、上記対応付け情報によって「動画撮影モード」に対応付けられているデジタル画像データをメモリカード５２から読み出し、該デジタル画像データにより示される画像をＬＣＤ３８に表示させる動画撮影モード用オープニング画面表示処理を実行し、その後にステップ１１８に移行する。本ステップ１１０の処理により、ＬＣＤ３８には、一例として図６（Ｂ）に示すように、動画撮影モードに対応する画像のオープニング画面としての表示が開始される。
【００６９】
一方、上記ステップ１０８において否定判定となった場合にはステップ１１２に移行し、モード切替スイッチ５６Ｃにより再生モードが設定されているか否かを判定して、肯定判定となった場合はステップ１１４に移行する。
【００７０】
ステップ１１４では、上記対応付け情報によって「再生モード」に対応付けられているデジタル画像データをメモリカード５２から読み出し、該デジタル画像データにより示される画像をＬＣＤ３８に表示させる再生モード用オープニング画面表示処理を実行し、その後にステップ１１８に移行する。本ステップ１１４の処理により、ＬＣＤ３８には、再生モードに対応する不図示の画像のオープニング画面としての表示が開始される。
【００７１】
一方、上記ステップ１１２において否定判定となった場合にはステップ１１６に移行し、上記対応付け情報によって「その他の動作モード」に対応付けられているデジタル画像データをメモリカード５２から読み出し、該デジタル画像データにより示される画像をＬＣＤ３８に表示させる共用オープニング画面表示処理を実行し、その後にステップ１１８に移行する。本ステップ１１６の処理により、ＬＣＤ３８には、その他の動作モードに対応する不図示の画像のオープニング画面としての表示が開始される。
【００７２】
ステップ１１８では、ユーザによって動作モードが切り替えられたか否かを判定し、否定判定となった場合はステップ１２０に移行して、タイマ４０Ａによる計時値によって示される期間Ｔがオープニング画面の表示期間として予め設定された期間ＴＸ以上となったか否かを判定し、否定判定となった場合は上記ステップ１１８に戻り、肯定判定となった場合にはステップ１２２に移行する。なお、上記ステップ１１８において肯定判定となった場合には上記ステップ１２０の処理を実行することなくステップ１２２に移行する。
【００７３】
ステップ１２２では、上記ステップ１０６、ステップ１１０、ステップ１１４、ステップ１１６の何れかの処理によって表示が開始されたオープニング画面の表示を停止させるオープニング画面非表示処理を実行し、次のステップ１２４にて、設定されている動作モードに応じた動作を実行した後に本電源オン処理プログラムを終了する。
【００７４】
以上詳細に説明したように、本実施の形態では、各々予め定められた複数の動作モードの何れかに対応付けられた複数のデジタル画像データをメモリカード５２に予め記憶しておき、電源が投入されたときに、予め設定された動作モードに対応付けられたデジタル画像データをメモリカード５２から読み出し、当該デジタル画像データにより示される画像をオープニング画面として表示しているので、動作モード毎にオープニング画面を変えることができる。
【００７５】
〔第２実施形態〕
上記第１実施形態では、設定されている動作モード毎にオープニング画面を変更する場合の形態について説明したが、本第２実施形態では、予め定められたスイッチが操作されたタイミングでオープニング画面の表示を停止する場合の形態について説明する。なお、本第２実施形態に係るデジタルカメラ１０の構成は上記第１実施形態に係るデジタルカメラ１０（図１、図２参照。）と同様であるので、ここでの説明は省略する。また、本第２実施形態に係るデジタルカメラ１０の撮影時における全体的な動作も上記第１実施形態と同様であるので、ここでの説明は省略する。
【００７６】
本第２実施形態に係るデジタルカメラ１０では、オープニング画面の表示を停止する際に操作するスイッチ（以下、「表示停止スイッチ」という。）が、設定されている動作モード毎に予め定められている。具体的には、静止画撮影モード及び動画撮影モードの各撮影モードが設定されている場合の表示停止スイッチとしてレリーズスイッチ５６Ａが定められている。また、再生モードが設定されている場合の表示停止スイッチとして、再生モード時に再生画像のコマ送りを指示する役割を有する十字カーソルスイッチ５６Ｄの左方向矢印キー及び右方向矢印キーが定められている。
【００７７】
以下、図７を参照して、本第２実施形態に係るデジタルカメラ１０において実行される電源オン処理について説明する。なお、図７は、当該電源オン処理の実行時にＣＰＵ４０により実行される電源オン処理プログラムの処理の流れを示すフローチャートである。また、ここでは、オープニング画面を表示させる期間が予め設定されている場合について説明する。
【００７８】
同図のステップ２００では、この時点で設定されている動作モードに対して予め定められた表示停止スイッチを特定する。ここで、本実施の形態では、静止画撮影モード又は動画撮影モードが設定されている場合にはレリーズスイッチ５６Ａが、再生モードが設定されている場合には十字カーソルスイッチ５６Ｄの左方向矢印キー及び右方向矢印キーが、表示停止スイッチとして特定されることになる。
【００７９】
次のステップ２０２では、オープニング画面の表示が指示されているか否かを判定し、否定判定となった場合はステップ２１２に移行し、肯定判定となった場合にはステップ２０４に移行する。なお、上記オープニング画面の表示が指示されているか否かの判定は、予め設定されているオープニング画面を表示させる期間が０（零）とされていないか否かを判定することにより行う。
【００８０】
ステップ２０４では、タイマ４０Ａをリセットした後に該タイマ４０Ａによる計時を開始し、次のステップ２０６では、上記第１実施形態に係る電源オン処理プログラムのステップ１０４〜ステップ１１６の処理と同様の処理を行うオープニング画面表示処理を実行し、その後にステップ２０８に移行する。
【００８１】
ステップ２０８では、上記ステップ２００の処理にて特定された表示停止スイッチがユーザによって操作されたか否かを判定し、否定判定となった場合はステップ２１０に移行して、タイマ４０Ａによる計時値によって示される期間Ｔがオープニング画面の表示期間として予め設定された期間ＴＸ以上となったか否かを判定し、否定判定となった場合は上記ステップ２０８に戻り、肯定判定となった場合にはステップ２１２に移行する。なお、上記ステップ２０８において肯定判定となった場合には上記ステップ２１０の処理を実行することなくステップ２１２に移行する。
【００８２】
ステップ２１２では、上記ステップ２０６の処理によって表示が開始されたオープニング画面の表示を停止させるオープニング画面非表示処理を実行し、次のステップ２１４にて、設定されている動作モードに応じた動作を実行した後に本電源オン処理プログラムを終了する。
【００８３】
以上詳細に説明したように、本実施の形態では、上記第１実施形態と同様の効果を奏することができると共に、予め定められた指示を入力するために操作される操作手段（本実施の形態では、レリーズスイッチ５６Ａ、及び十字カーソルスイッチ５６Ｄの左右方向矢印キー）が操作されたときにオープニング画面の表示を停止するようにＬＣＤ３８を制御しているので、オープニング画面の表示を容易に停止することができ、デジタルカメラ１０が有する機能を即座に利用することができる。
【００８４】
〔第３実施形態〕
上記第２実施形態では、予め定められたスイッチが操作されたタイミングでオープニング画面の表示を停止する場合の形態について説明したが、本第３実施形態では、これに加えて、予め定められたスイッチが操作されたときにオープニング画面の表示期間を延長する場合の形態について説明する。なお、本第３実施形態に係るデジタルカメラの構成も上記第１実施形態に係るデジタルカメラ１０（図１、図２参照。）と同様であるので、ここでの説明は省略する。また、本第３実施形態に係るデジタルカメラ１０の撮影時における全体的な動作も上記第１実施形態と同様であるので、ここでの説明は省略する。
【００８５】
本第３実施形態に係るデジタルカメラ１０では、オープニング画面の表示を停止する際に操作するスイッチ（以下、「表示停止スイッチ」という。）及びオープニング画面の表示を延長する際に操作するスイッチ（以下、「表示延長スイッチ」という。）が、設定されている動作モード毎に予め定められている。
【００８６】
具体的には、静止画撮影モード及び動画撮影モードの各撮影モードが設定されている場合の表示停止スイッチとしてレリーズスイッチ５６Ａが、表示延長スイッチとして決定スイッチが、各々定められている。また、再生モードが設定されている場合の表示停止スイッチとして、再生モード時に再生画像のコマ送りを指示する役割を有する十字カーソルスイッチ５６Ｄの左方向矢印キー及び右方向矢印キーが、表示延長スイッチとして決定スイッチが、各々定められている。
【００８７】
以下、図８を参照して、本第３実施形態に係るデジタルカメラ１０において実行される電源オン処理について説明する。なお、図８は、当該電源オン処理の実行時にＣＰＵ４０により実行される電源オン処理プログラムの処理の流れを示すフローチャートである。また、ここでは、オープニング画面を表示させる期間が予め設定されている場合について説明する。
【００８８】
同図のステップ３００では、この時点で設定されている動作モードに対して予め定められた表示停止スイッチ及び表示延長スイッチを特定する。ここで、本実施の形態では、静止画撮影モード又は動画撮影モードが設定されている場合には、表示停止スイッチとしてレリーズスイッチ５６Ａが、表示延長スイッチとして決定スイッチが、各々特定され、再生モードが設定されている場合には、表示停止スイッチとして十字カーソルスイッチ５６Ｄの左方向矢印キー及び右方向矢印キーが、表示延長スイッチとして決定スイッチが、各々特定されることになる。
【００８９】
次のステップ３０２では、オープニング画面の表示が指示されているか否かを判定し、否定判定となった場合はステップ３１６に移行し、肯定判定となった場合にはステップ３０４に移行する。なお、上記オープニング画面の表示が指示されているか否かの判定は、予め設定されているオープニング画面を表示させる期間が０（零）とされていないか否かを判定することにより行う。
【００９０】
ステップ３０４では、タイマ４０Ａをリセットした後に該タイマ４０Ａによる計時を開始し、次のステップ３０６では、上記第１実施形態に係る電源オン処理プログラムのステップ１０４〜ステップ１１６の処理と同様の処理を行うオープニング画面表示処理を実行し、その後にステップ３０８に移行する。
【００９１】
ステップ３０８では、上記ステップ３００の処理にて特定された表示延長スイッチがユーザによって操作されたか否かを判定し、肯定判定となった場合はステップ３１０に移行してタイマ４０Ａをリセット（計時値を０とする。）した後にステップ３１２に移行し、否定判定となった場合には上記ステップ３１０の処理を実行することなくステップ３１２に移行する。
【００９２】
ステップ３１２では、上記ステップ３００の処理にて特定された表示停止スイッチがユーザによって操作されたか否かを判定し、否定判定となった場合はステップ３１４に移行して、タイマ４０Ａによる計時値によって示される期間Ｔがオープニング画面の表示期間として予め設定された期間ＴＸ以上となったか否かを判定し、否定判定となった場合は上記ステップ３０８に戻り、肯定判定となった場合にはステップ３１６に移行する。なお、上記ステップ３１２において肯定判定となった場合には上記ステップ３１４の処理を実行することなくステップ３１６に移行する。
【００９３】
ステップ３１６では、上記ステップ３０６の処理によって表示が開始されたオープニング画面の表示を停止させるオープニング画面非表示処理を実行し、次のステップ３１８にて、設定されている動作モードに応じた動作を実行した後に本電源オン処理プログラムを終了する。
【００９４】
以上詳細に説明したように、本実施の形態では、上記第２実施形態と同様の効果を奏することができると共に、電源が投入されたときに予め定められたオープニング画面を所定期間だけ表示し、かつ当該所定期間に至るまでの間に予め定められた指示を入力するために操作される操作手段（本実施の形態では、決定スイッチ）が操作された場合にオープニング画面の表示期間を延長しているので、オープニング画面の表示期間を容易に延長することができる。
【００９５】
また、上記第２、第３実施形態では、表示停止スイッチないし表示延長スイッチを、設定されている動作モードで用いられるスイッチとしているので、設定されている動作モードでの操作に即座に移行することができ、利便性を向上させることができる。
【００９６】
なお、上記第２、第３実施形態において表示停止スイッチないし表示延長スイッチとして割り付けたスイッチは各実施形態に記載のものに限らず、他の何れのスイッチを割り付けてもよい。但し、設定されている動作モードで用いられるスイッチを割り付けることが利便性の面で有利である。
【００９７】
また、上記各実施の形態に係るデジタルカメラ１０の構成（図１、図２参照）は一例であり、本発明の主旨を逸脱しない範囲内において適宜変更可能であることは言うまでもない。
【００９８】
更に、上記各実施の形態において説明した電源オン処理プログラム（図５、図７、図８参照）の処理の流れも一例であり、本発明の主旨を逸脱しない範囲内において適宜変更可能であることは言うまでもない。
【００９９】
【発明の効果】
以上詳細に説明したように、第１の発明によれば、各々予め定められた複数の動作モードの何れかに対応付けられた複数の画像情報を記憶手段に予め記憶しておき、電源が投入されたときに、予め設定された動作モードに対応付けられた前記画像情報を前記記憶手段から読み出し、当該画像情報により示される画像をオープニング画面として表示しているので、動作モード毎にオープニング画面を変えることができる、という効果が得られる。
【０１００】
また、第２の発明によれば、電源が投入されたときに予め定められたオープニング画面を所定期間だけ表示すると共に、前記所定期間に至るまでの間に予め定められた指示を入力するために操作される操作手段が操作された場合に前記オープニング画面の表示期間を延長しているので、オープニング画面の表示期間を容易に延長することができる、という効果が得られる。
【図面の簡単な説明】
【図１】実施の形態に係るデジタルカメラ１０の外観を示す外観図である。
【図２】実施の形態に係るデジタルカメラ１０の電気系の構成を示すブロック図である。
【図３】実施の形態に係るデジタルカメラ１０のメニュー画面上で設定できるパラメータの説明に供する模式図である。
【図４】実施の形態に係るデジタルカメラ１０においてオープニング画面を表示させる期間を設定する際にＬＣＤ３８に表示される設定画面の一例を示す概略図である。
【図５】第１実施形態に係る電源オン処理プログラムの処理の流れを示すフローチャートである。
【図６】実施の形態に係るオープニング画面の表示例を示す概略図である。
【図７】第２実施形態に係る電源オン処理プログラムの処理の流れを示すフローチャートである。
【図８】第３実施形態に係る電源オン処理プログラムの処理の流れを示すフローチャートである。
【符号の説明】
１０    デジタルカメラ
３８    液晶ディスプレイ（表示手段）
４０    ＣＰＵ（制御手段）
４０Ａ    タイマ
４８    メモリ
５２    メモリカード（記憶手段）
５６Ａ    レリーズスイッチ（操作手段）
５６Ｂ    電源スイッチ
５６Ｃ    モード切替スイッチ（設定手段）
５６Ｄ    十字カーソルスイッチ（操作手段）
【図１】
2005072680.tif 000003
【図２】
2005072680.tif 000004
【図３】
2005072680.tif 000005
【図４】
2005072680.tif 000006
【図５】
2005072680.tif 000007
【図６】
2005072680.tif 000008
【図７】
2005072680.tif 000009
【図８】
2005072680.tif 000010